(57)【要約】【課題】端部材が挿抜される方向への移動規制と、この方向に交差する方向である天井と垂直な方向への移動規制とを行う。【解決手段】光源を構成する蛍光ランプ１２と；蛍光ランプ１２を点灯させるための点灯回路と；対向する二側面を構成する側板を有する筐体と；前記筐体において、前記二側面の両端部に生じる開口部を覆うための端部材２０と；側板３０と端部材２０との各対応位置に形成され、端部材の挿抜方向の移動を規制するように固定する第１の係合手段（２５、３４）と；側板と端部材との第１の係合手段と異なる各対応位置に形成され、端部材の挿抜方向と交差する方向の移動を規制するように固定する第２の係合手段（２６、３５）を具備する。【選択図】図２
2010165480.tif 000002
【特許請求の範囲】
【請求項１】
光源を構成するランプと；
ランプを点灯させるための点灯回路と；
対向する二側面を構成する側板を有する筐体と；
前記筐体において、前記二側面の両端部に生じる開口部を覆うための端部材と；
側板と端部材との各対応位置に形成され、端部材の挿抜方向の移動を規制するように固定する第１の係合手段と；
側板と端部材との第１の係合手段と異なる各対応位置に形成され、端部材の挿抜方向と交差する方向の移動を規制するように固定する第２の係合手段と
を具備することを特徴とする照明器具。
【請求項２】
第２の係合手段は、第１の係合手段の一部を併用して構成されていることを特徴とする請求項１に記載の照明器具。
【請求項３】
側板においては、側板の最先端縁を折り返した折返部に第１の係合手段及び第２の係合手段の構成要素が形成され、
端部材においては、側板と折返部の間に生じる間隙に入り込む差込部に第１の係合手段及び第２の係合手段の構成要素が形成されていることを特徴とする請求項１または２に記載の照明器具
【発明の詳細な説明】
【技術分野】
【０００１】
この発明は、蛍光ランプなどのランプを備える照明器具に関するものである。
【背景技術】
【０００２】
従来におけるこの種の照明器具にあっては、筐体が、二つの側板を備える天板と、二つの側面の両端部に生じる開口部を覆うための端部材とにより構成されている。この照明器具では、側板の最先端縁を折り返した折返部に形成された係合切欠口と、側板と折返部の間に生じる間隙に入り込む端部材のフラップに形成された係合凸部とにより、側板に対する端部材の固定を行っている（特許文献１、図３参照）。
【０００３】
しかしながら、上記構成によって、端部材が挿抜される方向への移動が規制されるが、この方向に交差する方向である天井と垂直な方向への移動について規制がなされていない。上記の照明器具においては、側板と端部材との結合は、ブラインドリベットにより行われるが、このブラインドリベットによる締め付けが弱い場合には、側板と端部材との結合部位である器具本体の角部において、ガタによる段差が生じ、不良品となる虞があった。
【発明の概要】
【発明が解決しようとする課題】
【０００４】
本発明は、上記のような従来の照明器具における問題点を解決するものであり、その目的は、端部材が挿抜される方向への移動規制と、この方向に交差する方向である天井と垂直な方向への移動規制とを行うことができ、所謂ガタのない適切な組み立て及び取付け状態を実現することができる照明器具を提供することである。
【課題を解決するための手段】
【０００５】
本発明に係る照明器具は、光源を構成するランプと；ランプを点灯させるための点灯回路と；対向する二側面を構成する側板を有する筐体と；前記筐体において、前記二側面の両端部に生じる開口部を覆うための端部材と；側板と端部材との各対応位置に形成され、端部材の挿抜方向の移動を規制するように固定する第１の係合手段と；側板と端部材との第１の係合手段と異なる各対応位置に形成され、端部材の挿抜方向と交差する方向の移動を規制するように固定する第２の係合手段とを具備することを特徴とする。
【０００６】
ランプとしては蛍光ランプを採用することができる。第１及び第２の係合手段は、端部材の移動を規制するように固定する構成であれば、同種類の構成であっても又異種の構成であっても良く、凹部と凸部、穴とピンなど如何なる構成を排除するものではない。端部材の挿抜方向と交差する方向とは、照明器具が天井に取り付けられた場合には、天井に対する概ね垂直方向を指す。
【０００７】
本発明に係る照明器具では、第２の係合手段は、第１の係合手段の一部を併用して構成されていることを特徴とする。
【０００８】
ここにおいて、「一部を併用」とは、側板と端部材との少なくとも一方の第１の係合手段の一部を用いて構成することを意味する。また、「一部を併用」とは、第１の係合手段の構成自体は勿論、第１の係合手段に関連する隣接構成を含むものとし、同一の部位、同一の板面などに存在することを許容する。
【０００９】
本発明に係る照明器具では、側板においては、側板の最先端縁を折り返した折返部に第１の係合手段及び第２の係合手段の構成要素が形成され、端部材においては、側板と折返部の間に生じる間隙に入り込む差込部に第１の係合手段及び第２の係合手段の構成要素が形成されていることを特徴とする。
【発明の効果】
【００１０】
本発明に係る照明器具によれば、第１の係合手段によって、端部材の挿抜方向の移動を規制するように固定がなされ、更に、第２の係合手段によって端部材の挿抜方向と交差する方向の移動を規制するように固定がなされるので、所謂ガタのない適切な組み立て及び取付け状態を実現することができる。
【００１１】
本発明に係る照明器具によれば、第２の係合手段は、第１の係合手段の一部を併用して構成されているので、構成を複雑化することなく、所謂ガタのない照明器具を提供することができる。
【００１２】
本発明に係る照明器具によれば、側板の最先端縁を折り返した折返部に第１の係合手段及び第２の係合手段の構成要素が形成され、端部材においては、側板と折返部の間に生じる間隙に入り込む差込部に第１の係合手段及び第２の係合手段の構成要素が形成されているので、端部材の差込部を側板と折返部の間に生じる間隙に入り込ませることにより、第１の係合手段及び第２の係合手段の構成要素が集積された状態となり、端部材の移動規制を集積部分においてまとめた作業によって行うことができ、効率的である。
【図面の簡単な説明】
【００１３】
【図１】本発明に係る照明器具の実施例を示す斜視図。
【図２】本発明に係る照明器具の実施例の要部組立斜視図。
【図３】本発明に係る照明器具の実施例の要部組立斜視図。
【図４】本発明に係る照明器具の実施例の要部組立斜視図。
【図５】本発明に係る照明器具の実施例の断面図。
【図６】本発明に係る照明器具の実施例の要部拡大斜視図。
【発明を実施するための形態】
【００１４】
以下、添付図面を参照して本発明に係る照明器具の実施例を説明する。各図において、同一の構成要素には同一の符号を付して重複する説明を省略する。図１には、実施例に係る照明器具が示されている。照明器具は、器具本体１１に二本の蛍光ランプ１２を備えている。器具本体１１は、床面側に開口部１３を有する偏平な筐体１４を有しており、筐体１４の長手方向の両端面は鋼鈑により構成される端部材２０により構成されている。
【００１５】
要部組立斜視図である図２乃至図４と、断面図である図５に示されているように、筐体１４は上記端部材２０と、筐体１４の側板３０を一体に備える鋼鈑により構成されるベース板４０を有している。
【００１６】
ベース板４０は、端部材２０側から見て中央に点灯回路５０を保持するためのフラットな中央天板４１を有し、その両端に蛍光ランプ１２を収容するための副天板４２が一体に形成されている。反射板８５は、副天板４２に取り外し可能に支持され点灯回路５０を内包しており、上記蛍光ランプ１２の間を通じて下向きに突出されている。中央天板４１が図示しないネジなどによって天井８９に固定され、器具本体１１の全体が天井８９に固定される。中央天板４１及び副天板４２の表面側は、反射板となっている。それぞれの副天板４２には、表面側が反射板となる傾斜板部４３が連続し、傾斜板部４３は、中央天板４１に平行となるように折り曲げられて、平坦な幅狭の周囲枠面４４へとつながっている。上記傾斜板部４３の長手方向の両端縁部４３ａには、係止爪４５が形成されている。周囲枠面４４は、直角に折り曲げられた側板３０が連続している。反射板６４によって覆われている。
【００１７】
側板３０は、その最先端縁３１を折り返した折返部３２を備え、側板３０と折返部３２の間に間隙３３が生じている。折返部３２における長手方向の両端部には、最先端縁３１側から小矩形片を切欠した切欠口３４が形成されている。切欠口３４は、各側板３０に二か所ずつ形成され、合計四か所に形成されている。この切欠口３４は、側板３０において、端部材２０の挿抜方向の移動を規制するように固定する第１の係合手段を構成する。
【００１８】
端部材２０は、組み立て状態において外側に位置する端板２１と、端板２１の下端部からベース板４０と組合わさる方向へ直角に折り曲げられて形成された幅狭の平坦面２２と、この平坦面２２から端板２１に近付くように折り曲げられて形成されたソケット支持板２３とを備えている。
【００１９】
端板２１の二短辺部には、端板２１から直角に折り曲げられて形成された差込部２４が設けられている。この差込部２４は、側板３０と折返部３２の間に形成されている間隙３３へ差し込まれ、側板３０の内側に位置することになる部位である。差込部２４の上端部における隅部には、内側に押し出されて形成され凸となっている係合凸部２５が形成されている。係合凸部２５は、折返部３２の切欠口３４に嵌まる大きさであり、端部材２０において、端部材２０の挿抜方向の移動を規制するように固定する第１の係合手段を構成する。
【００２０】
更に、係合凸部２５の端板２１側に寄った位置には、差込部２４に対し直交して内側へ突出する凸爪片２６が形成されている。凸爪片２６は、差込部２４の板面を切り起こして形成したもので、差込部２４の板面には、凸爪片２６の跡穴２６ａが形成される（図６）。
【００２１】
上記凸爪片２６は、端部材２０において、端部材２０の挿抜方向と交差する方向の移動を規制するように固定する第２の係合手段を構成する。即ち、差込部２４が側板３０と折返部３２の間に形成されている間隙３３へ差し込まれて、係合凸部２５が切欠口３４に嵌って係合した状態において、図６に示すように、凸爪片２６の頭部２６ｂが切欠口３４から側板３０の端面側に隣接する折返爪片３５の先端部３５ａと接触した状態となる。つまり、凸爪片２６と折返爪片３５とは係合して、端部材２０の挿抜方向と交差する方向の移動を規制するように固定する第２の係合手段を構成する。これらの構成により、天井８９と垂直な方向への移動規制を行うことができ、器具本体１１の平坦面２２側における角部にて段差がなく、また、所謂ガタのない適切な組み立て及び取付け状態を実現することができる。
【００２２】
ソケット支持板２３は、端板２１と平行に立設した状態とされている。ベース板４０の両端部に生じる開口部４７は、側板３０を含む端部材２０により蓋をされた状態に組み立てられる。このとき、ソケット支持板２３に形成されている長孔２７には、傾斜板部４３の両端面に形成された係止爪４５が挿入される。係止爪４５の根元部は切欠４５ａによって細く形成され、長孔２７に挿入された係止爪４５は、ねじ曲げられてベース板４０と端部材２０とは堅固に結合される。
【００２３】
ソケット支持板２３の二短辺には、それぞれ直角に折り曲げられた小タブ２８ａ、２８ｂが形成され、ソケット支持板２３の長辺端部には、それぞれ直角に折り曲げられた大タブ２９ａ、２９ｂが形成されている。上記小タブ２８ａ、２８ｂは、ベース板４０における傾斜板部４３の内面に重ね合わされ、上記大タブ２９ａ、２９ｂは、ベース板４０における副天板４２の内面に重ね合わされる。
【００２４】
大タブ２９ａ、２９ｂは、端部材２０が側板３０を含むベース板４０の両端部の開口部４７に結合された状態において、ブラインドリベット８１によって副天板４２に結合される。
【００２５】
ソケット支持板２３と、ベース板４０の中央天板４１と副天板４２と、更に傾斜板部４３とは、蛍光ランプ１２を収容する収容室８２を構成する。収容室８２は開口部を有して光射出方向に臨んでおり、この所要の照明を提供可能となっている。
【００２６】
ソケット支持板２３には、それぞれ一対のランプソケット５１が取り付けられている。ランプソケット５１は、収容室８２において互いに向かい合って収容室８２に臨んでいる。これらのランプソケット５１には、蛍光ランプ１２の口金が結合されており、二本の蛍光ランプ１２が平行する状態で収容室８２に設けられる。
【００２７】
以上の通り二構成された照明器具によれば、側板３０を含む端部材２０を、ベース板４０の両端部に生じる開口部４７に設ける組み立ての際には、端部材２０の差込部２４を側板３０と折返部３２の間に形成されている間隙３３へ差し込むことにより、間隙３３が差込部２４に対する摺動ガイドとして機能し、係合凸部２５が切欠口３４に嵌まる状態までスムーズに作業を進行することができる。
【００２８】
係合凸部２５が切欠口３４に嵌まった状態では、端部材２０の挿抜方向への移動が係合凸部２５と切欠口３４とにより規制されることになる。また、この状態では、凸爪片２６の頭部２６ｂが切欠口３４から側板３０の端面側に隣接する折返爪片３５の先端部３５ａと接触した状態となる。
【００２９】
従って、凸爪片２６と折返爪片３５とは係合状態となり、端部材２０の挿抜方向と交差する方向である天井８９から垂直方向への移動が規制されるようになる。この状態において、側板３０と端部材２０との結合部位である器具本体１１の平坦面２２側における角部にて、段差が生じていないことを確認し、必要であれば段差をなくする調整を行った後に、折返爪片３５を間隙３３側に押圧して押し潰し、強度を高くして強固な固着状態とする（図６）。折返爪片３５は、切欠口３４を形成するときに同時に形成されるものであり、第２の係合手段を構成する折返爪片３５は、第１の係合手段を構成する切欠口３４の一部を併用して構成されており、特に作成の手間を要することはない。
【００３０】
斯して、係合凸部２５が切欠口３４に嵌まった状態となることにより端部材２０の挿抜方向の移動を規制するように固定がなされる。更に、折返爪片３５と切欠口３４によって端部材２０の挿抜方向と交差する方向である天井８９と垂直な方向の移動を規制するように固定がなされるので、器具本体１１の平坦面２２側における角部にて段差がなく、所謂ガタのない適切な照明器具を組み立てることができる。
【符号の説明】
【００３１】
１１  器具本体
１２  蛍光ランプ
１４  筐体
２０  端部材
２１  端板
２３  ソケット支持板
２４  差込部
２５  係合凸部
２６  凸爪片
３０  側板
３４  切欠口
３５  折返爪片
【先行技術文献】
【特許文献】
【００３２】
【特許文献１】特開２０００−１３８００４号公報
【図１】
2010165480.tif 000003
【図２】
2010165480.tif 000004
【図３】
2010165480.tif 000005
【図４】
2010165480.tif 000006
【図５】
2010165480.tif 000007
【図６】
2010165480.tif 000008